(57)【要約】      （修正有）【課題】簡単な構成でフェイススプライン加工時のクラックの発生を防止して耐久性の向上を図った車輪用軸受装置を提供する。【解決手段】外側継手部材１４の肩部１９と加締部１３の端面にそれぞれフェイススプライン１９ａ、１３ａが形成されると共に、軸部２０の雌ねじ２０ａに螺着された締結ボルト２１によって両フェイススプラインが圧接支持され、複列の転がり軸受２と等速自在継手３とがトルク伝達可能に、かつ軸方向に着脱可能に結合された車輪用軸受装置において、加締部１３のフェイススプライン１３ａが当該加締部１３と同時に加締治具によって塑性加工で形成されると共に、その歯溝の最外径部に所定の傾斜角からなる胸壁２２ａが形成され、最外径部の歯高さが他の部分よりも低く設定されている。【選択図】図１
2014092186.tif 000002
【特許請求の範囲】
【請求項１】
複列の転がり軸受と等速自在継手が着脱自在にユニット化された車輪用軸受装置であって、
前記複列の転がり軸受が、外周に車体に取り付けられるための車体取付フランジを一体に有し、内周に複列の外側転走面が一体に形成された外方部材と、
一端部に車輪を取り付けるための車輪取付フランジを一体に有し、外周に軸方向に延びる小径段部が形成されたハブ輪、およびこのハブ輪の小径段部に圧入される少なくとも一つの内輪からなり、外周に前記複列の外側転走面に対向する複列の内側転走面が形成された内方部材と、
この内方部材と前記外方部材の両転走面間に転動自在に収容された複列の転動体とを備え、
前記小径段部の端部を径方向外方に塑性変形させて形成した加締部によって前記内輪が軸方向に固定されると共に、
前記等速自在継手が、カップ状のマウス部と、このマウス部の底部をなす肩部と、この肩部から軸方向に延び、内周に雌ねじが形成された軸部とを一体に有する外側継手部材を備え、
この外側継手部材の肩部と前記加締部の端面にそれぞれフェイススプラインが形成され、前記複列の転がり軸受と等速自在継手とがトルク伝達可能に結合された車輪用軸受装置において、
前記加締部のフェイススプラインにおけるピッチ円直径上より径方向外方の歯溝の歯高さが他の部分よりも低く設定されている部位を有することを特徴とする車輪用軸受装置。
【請求項２】
前記加締部のフェイススプラインが当該加締部と同時に加締治具によって塑性加工で形成されている請求項１に記載の車輪用軸受装置。
【請求項３】
前記フェイススプラインの歯溝の最外径部に所定の傾斜角からなる胸壁が形成されている請求項１または２に記載の車輪用軸受装置。
【請求項４】
前記胸壁の傾斜角が１０〜４０°の範囲に設定されている請求項３に記載の車輪用軸受装置。
【請求項５】
前記フェイススプラインの歯溝の最外径部に所定の曲率半径からなる円弧状の胸壁が形成されている請求項１または２に記載の車輪用軸受装置。
【請求項６】
前記胸壁の曲率半径Ｒが２ｍｍ≦Ｒ≦１０ｍｍに設定されている請求項５に記載の車輪用軸受装置。
【請求項７】
前記内方部材が、外周に前記複列の外側転走面の一方に対向する内側転走面と、この内側転走面から軸方向に延びる小径段部が形成されたハブ輪、およびこのハブ輪の小径段部に圧入され、外周に前記複列の外側転走面の他方に対向する内側転走面が形成された内輪からなると共に、前記ハブ輪が炭素０．４０〜０．８０ｗｔ％を含む中高炭素鋼からなり、前記内側転走面をはじめ、前記車輪取付フランジのインナー側の基部から前記小径段部に亙る外周面に高周波焼入れによって表面硬さを５８〜６４ＨＲＣの範囲に硬化処理され、前記加締部が鍛造加工後の未焼入れ部とされている請求項１に記載の車輪用軸受装置。
【発明の詳細な説明】
【技術分野】
【０００１】
本発明は、自動車等の車両の車輪を支持する車輪用軸受装置、詳しくは、車輪用軸受と等速自在継手とを備え、独立懸架式サスペンションに装着された駆動輪（ＦＦ車の前輪、ＦＲ車あるいはＲＲ車の後輪、および４ＷＤ車の全輪）を懸架装置に対して回転自在に支持する車輪用軸受装置に関するものである。
【背景技術】
【０００２】
自動車等の車両のエンジン動力を車輪に伝達する動力伝達装置は、エンジンから車輪へ動力を伝達すると共に、悪路走行時における車両のバウンドや車両の旋回時に生じる車輪からの径方向や軸方向変位、およびモーメント変位を許容する必要があるため、エンジン側と駆動車輪側との間に介装されるドライブシャフトの一端を摺動型の等速自在継手を介してディファレンシャルに連結し、他端を固定型の等速自在継手を含む車輪用軸受装置を介して車輪に連結している。
【０００３】
近年、省資源あるいは公害等の面から燃費向上に対する要求は厳しいものがある。自動車部品において、中でも車輪用軸受装置の軽量化はこうした要求に応える要因として注目され、強く望まれて久しい。従来から軽量化を図った車輪用軸受装置に関する提案は種々のものがあるが、それと共に自動車等の組立現場あるいは補修市場において、組立・分解作業を簡略化して低コスト化を図ることも重要な要因となっている。
【０００４】
図５に示す車輪用軸受装置５０は、こうした要求を満たした代表的な一例である。この車輪用軸受装置は、複列の転がり軸受５１と等速自在継手５２とを着脱自在にユニット化して構成されている。複列の転がり軸受５１は、車体に取り付けるための車体取付フランジ５３ｂを一体に有し、内周に複列の外側転走面５３ａ、５３ａが形成された外方部材５３と、一端部に車輪（図示せず）を取り付けるための車輪取付フランジ５４ｂを一体に有し、外周に前記複列の外側転走面５３ａ、５３ａの一方に対向する内側転走面５４ａと、この内側転走面５４ａから軸方向に延びる円筒状の小径段部５４ｃが形成されたハブ輪５４、およびこのハブ輪５４の小径段部５４ｃに圧入され、外周に前記複列の外側転走面５３ａ、５３ａの他方に対向する内側転走面５５ａが形成された内輪５５からなる内方部材５６と、両転走面間に保持器５７を介して転動自在に収容された複列のボール５８、５８とを備えている。そして、内輪５５は、小径段部５４ｃの端部を塑性変形させて形成した加締部５９によってハブ輪５４に対して軸方向に固定されている。さらに、この加締部５９の端面にフェイススプライン５９ａが形成されている。ここで、加締部５９のフェイススプライン５９ａは加締加工時に同時に形成されている。
【０００５】
また、外方部材５３と内方部材５６との間に形成される環状空間の開口部にはシール６０、６１が装着され、軸受内部に封入されたグリースの外部への漏洩と、外部から雨水やダスト等が軸受内部に侵入するのを防止している。
【０００６】
等速自在継手５２は、外側継手部材６２と継手内輪６３、ケージ６４、およびトルク伝達ボール６５とを備え、外側継手部材６２は、カップ状のマウス部６６と、このマウス部６６の底部をなす肩部６７と、この肩部６７から軸方向に延びる中空状の軸部６８を一体に有し、軸部６８の内周には雌ねじ６８ａが形成されている。また、肩部６７の端面にフェイススプライン６７ａが形成されている。このフェイススプライン６７ａは、加締部５９の端面に形成されたフェイススプライン５９ａに係合し、ドライブシャフト（図示せず）からの回転トルクが等速自在継手５２および内方部材５６を介して車輪取付フランジ５４ｂに伝達される。
【０００７】
ここで、軸部６８の雌ねじ６８ａに締結ボルト６９が螺着され、この締結ボルト６９によって、外側継手部材６２と内方部材５６の対向する両フェイススプライン６７ａ、５９ａが圧接支持され、複列の転がり軸受５１と等速自在継手５２とが着脱自在にユニット化されている。これにより、軽量・コンパクト化を図ることができると共に、分解・組立作業が簡素化される（例えば、特許文献１参照。）。
【先行技術文献】
【特許文献】
【０００８】
【特許文献１】特開昭６３−１８４５０１号公報
【発明の概要】
【発明が解決しようとする課題】
【０００９】
然しながら、こうした従来の車輪用軸受装置５０では、図６に示すように、加締部５９のフェイススプライン５９ａが加締加工時に同時に形成されるが、通常の加締加工と比べ、比較的加工度が高いため、クラックの発生が懸念される。特に、フェイススプライン５９ａの歯底最外径部が最も加工度が高くなるため、クラックの発生率が高くなる恐れがある。
【００１０】
また、フェイススプライン５９ａの仕様は、ユーザの要求仕様を満たす必要があるため、大幅な変更をすることができず、クラック発生を抑制するために自由な設計を採用することが難しい。
【００１１】
本発明は、このような事情に鑑みてなされたもので、簡単な構成でフェイススプライン加工時のクラックの発生を防止して耐久性の向上を図った車輪用軸受装置を提供することを目的としている。
【課題を解決するための手段】
【００１２】
係る目的を達成すべく、本発明のうち請求項１記載の発明は、複列の転がり軸受と等速自在継手が着脱自在にユニット化された車輪用軸受装置であって、前記複列の転がり軸受が、外周に車体に取り付けられるための車体取付フランジを一体に有し、内周に複列の外側転走面が一体に形成された外方部材と、一端部に車輪を取り付けるための車輪取付フランジを一体に有し、外周に軸方向に延びる小径段部が形成されたハブ輪、およびこのハブ輪の小径段部に圧入される少なくとも一つの内輪からなり、外周に前記複列の外側転走面に対向する複列の内側転走面が形成された内方部材と、この内方部材と前記外方部材の両転走面間に転動自在に収容された複列の転動体とを備え、前記小径段部の端部を径方向外方に塑性変形させて形成した加締部によって前記内輪が軸方向に固定されると共に、前記等速自在継手が、カップ状のマウス部と、このマウス部の底部をなす肩部と、この肩部から軸方向に延び、内周に雌ねじが形成された軸部とを一体に有する外側継手部材を備え、この外側継手部材の肩部と前記加締部の端面にそれぞれフェイススプラインが形成され、前記複列の転がり軸受と等速自在継手とがトルク伝達可能に結合された車輪用軸受装置において、前記加締部のフェイススプラインにおけるピッチ円直径上より径方向外方の歯高さが他の部分よりも低く設定されている部位を有する。
【００１３】
このように、外側継手部材の肩部と加締部の端面にそれぞれフェイススプラインが形成されると共に、複列の転がり軸受と等速自在継手とがトルク伝達可能に結合された車輪用軸受装置において、加締部のフェイススプラインにおけるピッチ円直径上より径方向外方の歯溝の歯高さが他の部分よりも低く設定されている部位を有するので、フェイススプラインのＰＣＤ上で形状、寸法等の品質を保証することができると共に、簡単な構成でフェイススプラインのクラックの発生を防止して耐久性の向上を図った車輪用軸受装置を提供することができる。
【００１４】
また、請求項２に記載の発明のように、前記加締部のフェイススプラインが当該加締部と同時に加締治具によって塑性加工で形成されていれば、加工工数を削減でき、低コスト化を図ることができる。
【００１５】
また、請求項３に記載の発明のように、前記フェイススプラインの歯溝の最外径部に所定の傾斜角からなる胸壁が形成されていても良い。
【００１６】
好ましくは、請求項４に記載の発明のように、前記胸壁の傾斜角が１０〜４０°の範囲に設定されていれば、相手側のフェイススプラインとの干渉を回避でき、効果的に加締加工時に発生する応力を減少させ、クラックの発生を防止することができる。
【００１７】
また、請求項５に記載の発明のように、前記フェイススプラインの歯溝の最外径部に所定の曲率半径からなる円弧状の胸壁が形成されていても良い。
【００１８】
好ましくは、請求項６に記載の発明のように、前記胸壁の曲率半径Ｒが２ｍｍ≦Ｒ≦１０ｍｍに設定されていれば、相手側のフェイススプラインとの干渉を回避でき、効果的に加締加工時に発生する応力を減少させ、クラックの発生を防止することができる。
【００１９】
また、請求項７に記載の発明のように、前記内方部材が、外周に前記複列の外側転走面の一方に対向する内側転走面と、この内側転走面から軸方向に延びる小径段部が形成されたハブ輪、およびこのハブ輪の小径段部に圧入され、外周に前記複列の外側転走面の他方に対向する内側転走面が形成された内輪からなると共に、前記ハブ輪が炭素０．４０〜０．８０ｗｔ％を含む中高炭素鋼からなり、前記内側転走面をはじめ、前記車輪取付フランジのインナー側の基部から前記小径段部に亙る外周面に高周波焼入れによって表面硬さを５８〜６４ＨＲＣの範囲に硬化処理され、前記加締部が鍛造加工後の未焼入れ部とされていれば、車輪取付フランジに負荷される回転曲げ荷重に対して充分な機械的強度を有し、内輪の嵌合部となる小径段部の耐フレッティング性が向上すると共に、加締加工時に微小なクラック等の発生がなく加締部の塑性加工をスムーズに行うことができる。
【発明の効果】
【００２０】
本発明に係る車輪用軸受装置は、複列の転がり軸受と等速自在継手が着脱自在にユニット化された車輪用軸受装置であって、前記複列の転がり軸受が、外周に車体に取り付けられるための車体取付フランジを一体に有し、内周に複列の外側転走面が一体に形成された外方部材と、一端部に車輪を取り付けるための車輪取付フランジを一体に有し、外周に軸方向に延びる小径段部が形成されたハブ輪、およびこのハブ輪の小径段部に圧入される少なくとも一つの内輪からなり、外周に前記複列の外側転走面に対向する複列の内側転走面が形成された内方部材と、この内方部材と前記外方部材の両転走面間に転動自在に収容された複列の転動体とを備え、前記小径段部の端部を径方向外方に塑性変形させて形成した加締部によって前記内輪が軸方向に固定されると共に、前記等速自在継手が、カップ状のマウス部と、このマウス部の底部をなす肩部と、この肩部から軸方向に延び、内周に雌ねじが形成された軸部とを一体に有する外側継手部材を備え、この外側継手部材の肩部と前記加締部の端面にそれぞれフェイススプラインが形成され、前記複列の転がり軸受と等速自在継手とがトルク伝達可能に結合された車輪用軸受装置において、前記加締部のフェイススプラインにおけるピッチ円直径上より径方向外方の歯高さが他の部分よりも低く設定されている部位を有するので、フェイススプラインのＰＣＤ上で形状、寸法等の品質を保証することができると共に、簡単な構成でフェイススプラインのクラックの発生を防止して耐久性の向上を図った車輪用軸受装置を提供することができる。
【図面の簡単な説明】
【００２１】
【図１】本発明に係る車輪用軸受装置の一実施形態を示す縦断面図である。
【図２】図１のフェイススプライン部を示す要部拡大図である。
【図３】図１のＩＩＩ矢視図である。
【図４】図２のフェイススプラインの変形例を示す要部拡大図である。
【図５】従来の車輪用軸受装置を示す縦断面図である。
【図６】図５の要部拡大図である。
【発明を実施するための形態】
【００２２】
複列の転がり軸受と等速自在継手が着脱自在にユニット化された車輪用軸受装置であって、前記複列の転がり軸受が、外周に車体に取り付けられるための車体取付フランジを一体に有し、内周に複列の外側転走面が一体に形成された外方部材と、一端部に車輪を取り付けるための車輪取付フランジを一体に有し、外周に前記複列の外側転走面に対向する一方の内側転走面と、この内側転走面から軸方向に延びる円筒状の小径段部が形成されたハブ輪、およびこのハブ輪の小径段部に外嵌され、外周に前記複列の外側転走面に対向する他方の内側転走面が形成された内輪からなる内方部材と、この内方部材と前記外方部材の両転走面間に転動自在に収容された複列の転動体とを備え、前記小径段部の端部を径方向外方に塑性変形させて形成した加締部によって前記内輪が軸方向に固定されると共に、前記等速自在継手が、カップ状のマウス部と、このマウス部の底部をなす肩部と、この肩部から軸方向に延び、内周に雌ねじが形成された軸部とを一体に有する外側継手部材を備え、この外側継手部材の肩部と前記加締部の端面にそれぞれフェイススプラインが形成され、前記軸部の雌ねじに螺着された締結ボルトによって前記両フェイススプラインが圧接支持され、前記複列の転がり軸受と等速自在継手とがトルク伝達可能に、かつ軸方向に着脱可能に結合された車輪用軸受装置において、前記加締部のフェイススプラインが当該加締部と同時に加締治具によって塑性加工で形成されると共に、その歯溝の最外径部に所定の傾斜角からなる胸壁が形成され、最外径部の歯高さが他の部分よりも低く設定されている。
【実施例】
【００２３】
以下、本発明の実施の形態を図面に基づいて詳細に説明する。
図１は、本発明に係る車輪用軸受装置の一実施形態を示す縦断面図、図２は、図１のフェイススプライン部を示す要部拡大図、図３は、図１のＩＩＩ矢視図、図４は、図２のフェイススプラインの変形例を示す要部拡大図である。なお、以下の説明では、車両に組み付けた状態で車両の外側寄りとなる側をアウター側（図１の左側）、中央寄り側をインナー側（図１の右側）という。
【００２４】
この車輪用軸受装置は、ハブ輪１と複列の転がり軸受２と等速自在継手３を着脱自在にユニット化した、所謂第３世代と称される構成を備えている。
【００２５】
複列の転がり軸受２は、外方部材７と内方部材８と複列の転動体（ボール）９、９とを備えている。この外方部材７はＳ５３Ｃ等の炭素０．４０〜０．８０ｗｔ％を含む中高炭素鋼からなり、外周に車体（図示せず）に取り付けるための車体取付フランジ７ｂを一体に有し、内周に複列の外側転走面７ａ、７ａが一体に形成されている。そして、少なくともこの複列の外側転走面７ａ、７ａが高周波焼入れによって表面硬さを５８〜６４ＨＲＣの範囲に硬化処理が施されている。
【００２６】
一方、内方部材８は、前記した外方部材７の外側転走面７ａ、７ａに対向する複列の内側転走面１ａ、５ａが形成されている。これら複列の内側転走面１ａ、５ａのうち一方（アウター側）の内側転走面１ａがハブ輪１の外周に、他方（インナー側）の内側転走面５ａが内輪５の外周にそれぞれ一体に形成されている。この場合、内方部材８はハブ輪１と内輪５を指す。そして、複列の転動体９、９がこれら両転走面間にそれぞれ収容され、保持器１０、１０によって転動自在に保持されている。
【００２７】
また、外方部材７と内方部材８との間に形成される環状空間の開口部にはシール１１、１２が装着され、軸受内部に封入された潤滑グリースの漏洩と、外部から軸受内部に雨水やダスト等が侵入するのを防止している。
【００２８】
ハブ輪１は、アウター側の端部に車輪（図示せず）を取り付けるための車輪取付フランジ４を一体に有し、外周に内側転走面１ａから軸方向に延びる小径段部１ｂが形成され、この小径段部１ｂに内輪５が固定されている。そして、小径段部１ｂの端部を径方向外方に塑性変形させて形成した加締部１３によって所定の軸受予圧が付与した状態で、ハブ輪１に対して軸方向に固定されている。
【００２９】
ハブ輪１はＳ５３Ｃ等の炭素０．４０〜０．８０ｗｔ％を含む中高炭素鋼からなり、内側転走面１ａをはじめ、アウター側のシール１１のシールランド部となる車輪取付フランジ４のインナー側の基部４ａから小径段部１ｂに亙る外周面に高周波焼入れによって表面硬さを５８〜６４ＨＲＣの範囲に硬化処理されている。なお、加締部１３は鍛造加工後の未焼入れ部とされている。これにより、車輪取付フランジ４に負荷される回転曲げ荷重に対して充分な機械的強度を有し、内輪５の嵌合部となる小径段部１ｂの耐フレッティング性が向上すると共に、加締加工時に微小なクラック等の発生がなく加締部１３の塑性加工をスムーズに行うことができる。
【００３０】
また、内輪５および転動体９はＳＵＪ２等の高炭素クロム軸受鋼からなり、ズブ焼入れにより芯部まで６０〜６４ＨＲＣの範囲で硬化処理されている。なお、ここでは、転動体９にボールを使用した複列のアンギュラ玉軸受で構成された複列の転がり軸受２を例示したが、これに限らず、転動体９に円錐ころを使用した複列の円錐ころ軸受で構成されていても良い。
【００３１】
等速自在継手３は、外側継手部材１４と継手内輪１５とケージ１６およびトルク伝達ボール１７からなる。外側継手部材１４は、カップ状のマウス部１８と、このマウス部１８の底部をなす肩部１９と、この肩部１９から軸方向に延びる軸部２０とを有し、この軸部２０には雌ねじ２０ａが形成されている。また、マウス部１８の内周および継手内輪１５の外周には軸方向に延びる曲線状のトラック溝１８ａ、１５ａがそれぞれ形成されている。この外側継手部材１４はＳ５３Ｃ等の炭素０．４０〜０．８０ｗｔ％を含む中高炭素鋼からなり、トラック溝１８ａが高周波焼入れによって表面硬さを５８〜６４ＨＲＣの範囲に硬化処理が施されている。
【００３２】
本実施形態では、外側継手部材１４の肩部１９の端面にフェイススプライン１９ａが形成されている。また、加締部１３の端面には、肩部１９に形成されたフェイススプライン１９ａに噛合するフェイススプライン１３ａが塑性加工によって同時に形成されている。これにより、加工工数を削減でき、低コスト化を図ることができる。そして、複列の転がり軸受２および等速自在継手３は、軸部２０の雌ねじ２０ａに締結ボルト２１が螺着されることによって、外側継手部材１４の肩部１９とハブ輪１の加締部１３との対向する両フェイススプライン１９ａ、１３ａが圧接支持され、着脱自在にユニット化されている。
【００３３】
ここで、図２、３に示すように、加締部１３と同時に加締治具（図示せず）によって塑性加工で形成されるフェイススプライン１３ａは、そのピッチ円直径上より径方向外方、ここでは、その歯溝２２の最外径部の歯高さＨ０が他の部分Ｈよりも低く（Ｈ０＜Ｈ）形成されている。ここで、他の部分の歯高さＨとは、歯頂点Ｐを通るピッチ円直径より径方向内方の歯溝と平行な線Ａから歯溝までの距離（最大歯高さ：Ｈ）のことをいう。具体的には、フェイススプライン１３ａのＰＣＤ（ピッチ円直径）上より径方向外方の歯溝２２がストレートではなく、傾斜角αからなる胸壁２２ａを設けることにより最外径部の歯高さＨ０（線Ａから歯溝までの距離：Ｈ０）を低くしている。これにより、フェイススプライン１３ａのＰＣＤ上で形状、寸法等の品質を保証することができると共に、簡単な構成でフェイススプライン１３ａのクラックの発生を防止して耐久性の向上を図った車輪用軸受装置を提供することができる。
【００３４】
なお、歯溝２２の胸壁２２ａの傾斜角αは１０〜４０°の範囲に設定されている。傾斜角αが４０°を超えると、相手側のフェイススプライン１９ａと干渉する恐れがあり、また、１０°未満では、加工時の応力減少の効果が半減するためである。
【００３５】
図４は、図２のフェイススプライン１３ａの変形例である。このフェイススプライン２３ａは、前述した実施形態と同様、加締部２３と同時に加締治具（図示せず）によって形成され、最外径部の歯高さＨ０が他の部分Ｈよりも低く形成（Ｈ０＜Ｈ）されている。具体的には、フェイススプライン２３ａのＰＣＤ（ピッチ円直径）上より径方向外方の歯溝２４がストレートではなく、円弧状の胸壁２４ａを設けることにより最外径部の歯高さＨ０を低くしている。これにより、フェイススプライン２３ａのＰＣＤ上で形状、寸法等の品質を保証することができると共に、簡単な構成でフェイススプライン２３ａのクラックの発生を防止することができる。なお、胸壁２４ａの曲率半径Ｒは、２ｍｍ≦Ｒ≦１０ｍｍに設定されている。胸壁２４ａの曲率半径Ｒが２ｍｍ未満になると、相手側のフェイススプライン１９ａと干渉する恐れがあり、また、１０ｍｍを超えると、加工時の応力減少の効果が半減するためである。
【００３６】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００３７】
本発明に係る車輪用軸受装置は、フェイススプラインを介してハブ輪を有する複列の転がり軸受と等速自在継手とを着脱自在にユニット化した車輪用軸受装置に適用することができる。
【符号の説明】
【００３８】
１  ハブ輪
１ａ、５ａ  内側転走面
１ｂ  小径段部
２  複列の転がり軸受
３  等速自在継手
４  車輪取付フランジ
４ａ  車輪取付フランジのインナー側の基部
５  内輪
７  外方部材
７ａ  外側転走面
７ｂ  車体取付フランジ
８  内方部材
９  転動体
１０  保持器
１１、１２  シール
１３、２３  加締部
１３ａ、１９ａ、２３ａ  フェイススプライン
１４  外側継手部材
１５  継手内輪
１５ａ、１８ａ  トラック溝
１６  ケージ
１７  トルク伝達ボール
１８  マウス部
１９  肩部
２０  軸部
２０ａ  雌ねじ
２１  締結ボルト
２２、２４  歯溝
２２ａ、２４ａ  胸壁
５０  車輪用軸受装置
５１  複列の転がり軸受
５２  等速自在継手
５３  外方部材
５３ａ  外側転走面
５３ｂ  車体取付フランジ
５４  ハブ輪
５４ａ、５５ａ  内側転走面
５４ｂ  車輪取付フランジ
５４ｃ  小径段部
５５  内輪
５６  内方部材
５７  保持器
５８  ボール
５９  加締部
５９ａ、６７ａ  フェイススプライン
６０、６１  シール
６２  外側継手部材
６３  継手内輪
６４  ケージ
６５  トルク伝達ボール
６６  マウス部
６７  肩部
６８  軸部
６８ａ  雌ねじ
６９  締結ボルト
Ｈ  フェイススプラインの歯の高さ
Ｈ０  フェイススプラインの最外径部の歯の高さ
ＰＣＤ  フェイススプラインのピッチ円直径
Ｒ  胸壁の曲率半径
α  胸壁の傾斜角
【図１】
2014092186.tif 000003
【図２】
2014092186.tif 000004
【図３】
2014092186.tif 000005
【図４】
2014092186.tif 000006
【図５】
2014092186.tif 000007
【図６】
2014092186.tif 000008